(57)【要約】      （修正有）【課題】相隣る多段状パレット体間における固定道板の通行スペ−スを一定に確保せしめ、出入庫時における車両の安全確認や乗降動作を容易に行わしめることが出来、また、集中豪雨などのさいには浸水に伴う駐車車両の損害を予防せしめることが出来る、ピット式駐車装置を提供する。【解決手段】  ピット１内に固定道板９を介して所要数の多段状パレット体４が昇降自在に並設されてなるピット式駐車装置において、上記各多段状パレット体４を構成する上下のパレット部材６はその両側が所要数の支柱８を介して各々支持せしめられると共に、該両側の各支柱８は相隣る多段状パレット体４間における固定道板９の通行スペ−スを一定に確保せしめるべく各々互い違い状に設けられている。さらに、雨量計１２が付設され、該雨量計１２には所要量の雨量を計測すると自動的に警報を発する警報器１１が接続されている。【選択図】図１
2005344446.tif 000002
【特許請求の範囲】
【請求項１】
ピット内に所要形状の固定フレ−ムが設置されると共に、該固定フレ−ム内に固定道板を介して所要数の多段状パレット体が昇降自在に並設されてなるピット式駐車装置において、上記各多段状パレット体を構成する上下のパレット部材はその一側が２本の支柱を介して支持せしめられると共に、同他側が１本の支柱を介して支持せしめられ、かつ、該両側の各支柱は相隣る多段状パレット体間における固定道板の通行スペ−スを一定に確保せしめるべく各々互い違い状に設けられてなることを特徴とする、ピット式駐車装置。
【請求項２】
ピット内に所要形状の固定フレ−ムが設置されると共に、該固定フレ−ム内に固定道板を介して所要数の多段状パレット体が昇降自在に並設されてなるピット式駐車装置において、上記各多段状パレット体を構成する上下のパレット部材はその両側が各々２本の支柱を介して支持せしめられると共に、該両側の各支柱は相隣る多段状パレット体間における固定道板の通行スペ−スを一定に確保せしめるべく各々互い違い状に設けられてなることを特徴とする、ピット式駐車装置。
【請求項３】
ピット内に所要形状の固定フレ−ムが設置されると共に、該固定フレ−ム内に固定道板を介して所要数の多段状パレット体が昇降自在に並設されてなるピット式駐車装置において、上記ピット式駐車装置には所要の雨量計が付設されると共に、該雨量計には所要量の雨量を計測すると自動的に警報を発する警報器が接続されてなることを特徴とする、ピット式駐車装置。
【発明の詳細な説明】
【技術分野】
【０００１】
本発明は、ピット式駐車装置に関し、さらに詳細には、安全通路スペ−スを有効に確保して車両からの乗降を極めてスム−ズに行うことが出来るのみならず、出入庫時における車両操作を安全に行うことができ、また、局地的な集中豪雨などのさいにはピット内の浸水に伴う駐車車両の損害を有効に予防せしめることが出来る、ピット式駐車装置に関する
。
【背景技術】
【０００２】
従来より、この種のピット式駐車装置としては、例えば、特開平１０−１０２８００号公報に記載されているように、ピット内に所要形状の固定フレ−ムが設置され、該固定フレ−ム内には固定道板を介して所要数の多段状パレット体が昇降自在に並設され、該各多段状パレット体を構成する上下のパレット部材はその両側が各々２本の支柱を介して支持されると共に、該両側の支柱は各々対向状に配設されたものが知られている。  
【０００３】
そして、上述の如く構成された従来例は、固定フレ−ム内に沿って所要の多段状パレット体を交互に適宜昇降作動せしめ、所要のパレット部材を地表面レベルに停止せしめつつ車両の出入庫を行わしめるものである。
【特許文献１】特開平１０−１０２８００号公報
【発明の開示】
【発明が解決しようとする課題】
【０００４】
ところで、上記従来例は、各多段状パレット体を構成する上下パレット部材の両側支柱が各々対向状に配設されているから、多段状パレット体を同時に上昇せしめる場合には相隣る多段状パレット体間においては相隣る支柱どうしが対向して固定道板の通行スペ−スを著しく狭めるものとなり、ひいては、車両の出入庫時における乗降が不可能となっていた。また、車両の出入庫時における車両操作においても、両側の支柱が邪魔して見通しが非常に悪く、安全確認がしずらいのみならず、場合によってはミラ−などが支柱に接触して損傷するなどの不都合を惹起せしめやすいものである。
【０００５】
さらに、上記従来例にはピット内への雨水の浸水対策が講じられていないため、集中豪雨などのさいにはピット内に雨水が流入して浸水し、駐車車両に被害を与えやすいものである。
【０００６】
なお、かかる従来の問題点を解決するものとして、ピット内に水位検出手段を付設し、浸水時の水位を検知して駐車車両を退避せしめ、車両の水没を未然に防止せしめる車両水没防止装置が提案されている（特開２００２−２３５４５０号公報、特開２００２−３７１７２２号公報参照）。しかしながら、かかる従来例はピット内への雨水の浸水後における事後的な処置にすぎず、あくまで対症療法的なものであって、浸水時における駐車車両の被害を確実に防止せしめずらいものである。
【０００７】
本発明はかかる従来例の問題点を解決しようとするもので、多段状パレット体を同時に上昇せしめる場合おいても、常に相隣る多段状パレット体間における固定道板の通行スペ−スを一定に確保せしめ、出入庫時における車両の安全確認や乗降動作を容易に行わしめることが出来るのみならず、支柱に対するミラ−などの接触事故を有効に防止せしめることが出来る、ピット式駐車装置、及び集中豪雨時等におけるピット内への雨水の浸水を予防的に警告せしめ、浸水に伴う駐車車両の被害を未然に防止せしめることが出来る、ピット式駐車装置を提供するにある。
【課題を解決するための手段】
【０００８】
上記の目的を達成するため、本願発明の請求項１記載の発明は、ピット内に所要形状の固定フレ−ムが設置されると共に、該固定フレ−ム内に固定道板を介して所要数の多段状パレット体が昇降自在に並設されてなるピット式駐車装置において、上記各多段状パレット体を構成する上下のパレット部材はその一側が２本の支柱を介して支持せしめられると共に、同他側が１本の支柱を介して支持せしめられ、かつ、該両側の各支柱は相隣る多段状パレット体間における固定道板の通行スペ−スを一定に確保せしめるべく各々互い違い状に設けられてなることを特徴とする、ピット式駐車装置を要旨とするものである。
【０００９】
本願発明の請求項２記載の発明は、ピット内に所要形状の固定フレ−ムが設置されると共に、該固定フレ−ム内に固定道板を介して所要数の多段状パレット体が昇降自在に並設されてなるピット式駐車装置において、上記各多段状パレット体を構成する上下のパレット部材はその両側が各々２本の支柱を介して支持せしめられると共に、該両側の各支柱は相隣る多段状パレット体間における固定道板の通行スペ−スを一定に確保せしめるべく各々互い違い状に設けられてなることを特徴とする、ピット式駐車装置を要旨とするものである。
【００１０】
本願発明の請求項３記載の発明は、ピット内に所要形状の固定フレ−ムが設置されると共に、該固定フレ−ム内に固定道板を介して所要数の多段状パレット体が昇降自在に並設されてなるピット式駐車装置において、上記ピット式駐車装置には所要の雨量計が付設されると共に、該雨量計には所要量の雨量を計測すると自動的に警報を発する警報器が接続されてなることを特徴とする、ピット式駐車装置を要旨とするものである。
【発明の効果】
【００１１】
請求項１記載の発明は、上述のように構成されているから、多段状パレット体を同時に上昇せしめた場合おいても、従来例のように支柱が邪魔することがなく、常に相隣る多段状パレット体間における固定道板の通行スペ−スを一定に確保せしめることが出来るものであって、ひいては、出入庫時における車両の安全確認や乗降動作を容易に行わしめることが出来るのみならず、支柱に対するミラ−などの接触事故を有効に防止せしめることが出来るものである。また、上下のパレット部材は３本の支柱でもって支持せしめるものであるから、従来例に比して部品点数が少なくて済み、その製作を容易に、しかも、安価に行なうことが出来るものである。
【００１２】
請求項２記載の発明は、上述のように構成されているから、多段状パレットを同時に上昇せしめた場合おいても、従来例のように支柱が邪魔することがなく、常に相隣る多段状パレット体間における固定道板の通行スペ−スを一定に確保せしめることが出来るものであって、ひいては、出入庫時における車両の安全確認や乗降動作を容易に行わしめることが出来るのみならず、支柱に対するミラ−などの接触事故を有効に防止せしめることが出来るものである。
【００１３】
請求項３記載の発明は、上述のように構成されているから、集中豪雨時などにおいては雨量計により所定量の雨量を計測すると同時に警報器により警報を発することが出来るものであって、ひいては、ピット内への雨水の浸水を予防的に警告せしめて浸水に伴う駐車車両の被害を未然に有効に防止せしめることが出来るものである。
【発明を実施するための最良の形態】
【００１４】
以下に、本発明を実施するための最良の形態を図面に示す一実施例に基づいて説明する
。
【実施例】
【００１５】
図１乃至図４は本発明の一実施例を示すもので、同図中、１は所要の深さを有する方形体状のピット、２は該ピット１内に設置された形鋼などよりなる方形体状の固定フレ−ムで、該固定フレ−ム２内は所要数の車庫スペ−ス３が並列状に区画形成されている。４は該各車庫スペ−ス３に各々並列状に配設された多段状のパレット体で、該各パレット体４は吊下げ用のチェ−ン伝動機構（図示略）をモ−タ５により駆動せしめることにより車庫スペ−ス３内を昇降作動するものとされている。６は上記各パレット体４を構成する上下一対の方形状パレット部材、７は該各パレット部材６の下面に略交又状に取付けられた補強部材、８は各上下のパレット部材６を所定間隔でもって上下に支持せしめる３本の支柱で、該支柱８は後記する固定道板９の通行スペ−スを一定に確保せしめるべく上下パレット部材６の一側両端と他側後端よりとに各々互い違いに位置して設けられている（図１参照）。９は各パレット体４間に配設された固定道板、１０は該固定道板９の前部に立設された操作盤、１１は該操作盤１０の頂部に取付けられた警報音や警報灯などを発する警報器、１２は該警報器１１に電気的に接続された転倒ます型雨量計で、該雨量計１２はピット１の近傍に設置されている。そして、該雨量計１２は所要のロ−トに雨水を捕集せしめ
、一定量に達した時点で転倒すると共に、マグネットとリ−ドスイッチによりメ−タ信号を発信せしめて警報器１１を作動せしめ、所要の警報を発するものとされている。その他
、Ｃは所要の車両を示す。   
【００１６】
上述の如く構成された実施例は、操作盤１０を介して所要の車庫スペ−ス３内より多段状パレット体４を適宜昇降作動せしめ、所要のパレット部材６を地表面レベルに停止せしめつつ車両Ｃを出入庫せしめる。このさい、多段状パレット体４を構成する上下パレット部材６の３本の支柱８は上下パレット部材６の一側両端と他側後端よりとに各々互い違いに位置して設けられているから、多段状パレット４を同時に上昇せしめた場合おいても、従来例のように支柱が邪魔することがなく、常に相隣る多段状パレット体４間における固定道板９の通行スペ−スを一定に確実に確保せしめることが出来るもので、ひいては、多段状パレット体４を同時に上昇せしめた状態で使用することが出来るのみならず、出入庫時における車両Ｃの安全確認や乗降動作を容易に行わしめることが出来、しかも、支柱８に対するミラ−などの接触事故を有効に防止せしめることが出来る。
【００１７】
また、集中豪雨時等において、雨量計１２により所定量の雨量を計測すると同時に警報器１１を自動的に作動せしめ、警報を発することが出来るものであって、ひいては、ピット１内への雨水の浸水を予防的に警告せしめて浸水に伴う駐車車両Ｃの被害を未然に有効に防止せしめることが出来るものである。
【００１８】
図５及び図６は他の発明の一実施例を示すもので、多段状パレット体４を構成する上下のパレット部材６は、その両側が各々２本の支柱８を介して支持せしめられると共に、該両側の各支柱８は相隣る多段状パレット体４間における固定道板９の通行スペ−スを一定に確保せしめるべく各々互い違い状に設けられた点が前記実施例と相違し、他の部分は同一であり、同一符号は同一部分を示す。
【００１９】
そして、上述の如く構成された実施例は、前記実施例と同様に、操作盤１０を介して所要の車庫スペ−ス３内より多段状パレット体４を適宜昇降作動せしめ、所要のパレット部材６を地表面レベルに停止せしめつつ車両Ｃを出入庫せしめる。このさい、多段状パレット体４を構成する上下パレット部材６の４本の支柱８は、上下パレット部材６の両側に２本づつ互い違い状に位置して設けられているから、多段状パレット体４を同時に上昇せしめた場合おいても、従来例のように支柱が邪魔することがなく、常に相隣る多段状パレット体４間における固定道板９の通行スペ−スを一定に確実に確保せしめることが出来るもので、ひいては、多段状パレット体４を同時に上昇せしめた状態で使用することが出来るのみならず、出入庫時における車両Ｃの安全確認や乗降動作を容易に行わしめることが出来、しかも、支柱８に対するミラ−などの接触事故を有効に防止せしめることが出来る。また、同様に集中豪雨時においても、雨量計１２より所定量の雨水を計測すると同時に警報器１１を自動的に作動せしめて警報を発し、ピット１内への雨水の浸水を予防的に警告せしめて浸水に伴う駐車車両Ｃの被害を未然に有効に防止せしめることが出来るものである。
【００２０】
なお、上記実施例において、多段状パレット体４は二段状とされているが、これに限定されるものでなく、必要に応じてパレット部材６を増加せしめてもよいものである。また
、雨量計１２は転倒ます型とされているが、これに限定されるものではなく、他の公知の雨量計を使用することが出来るものである。さらに、警報器１１の警報発生に連動して多段状パレット体４を各々上昇作動せしめて退避せしめるべく、所要の制御手段を付設せしめてもよいものである。
【図面の簡単な説明】
【００２１】
【図１】本発明の一実施例を示す平面図である。
【図２】同実施例の使用状態を示す正面図である。
【図３】同実施例の使用状態を示す側面図である。
【図４】同実施例の操作盤１０を示す一部拡大正面図である。
【図５】他の発明の一実施例を示す平面図である。
【図６】同実施例の使用状態を示す側面図である。
【符号の説明】
【００２２】
１    ピット
２    固定フレ−ム
４    パレット体
６    パレット部材
８    支柱
９    固定道板
１１  警報器
１２  雨量計
Ｃ    車両
【図１】
2005344446.tif 000003
【図２】
2005344446.tif 000004
【図３】
2005344446.tif 000005
【図４】
2005344446.tif 000006
【図５】
2005344446.tif 000007
【図６】
2005344446.tif 000008